(57)【要約】【課題】カーペットのループパイル糸と繊維屑の混合の少ない裏打ち層と基布層をカーペットから効率的に分離回収する方法を提供する。【解決手段】少なくともループパイル糸からなるカーペット層と基布層と裏打ち層の３層からなるカーペットをリサイクルするにあたり、該カーペットを破砕するに先立ち、各構成層をそれぞれ個別に分離回収するカーペットのリサイクル方法。【選択図】図１
2005144076.tif 000002
【特許請求の範囲】
【請求項１】
少なくともループパイル糸からなるカーペット層と基布層と裏打ち層の３層からなるカーペットをリサイクルするにあたり、該カーペットを破砕するに先立ち、各構成層をそれぞれ個別に分離回収する事を特徴とするカーペットのリサイクル方法。
【請求項２】
少なくともループパイル糸からなるカーペット層と基布層と裏打ち層の３層からなるカーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させると共に該裏打ち層から剥離させることによって、カーペット層を構成する該ループパイル糸と基布層と裏打ち層を個別に分離することを特徴とするループパイル糸を有するタフテッドタイプのカーペットの各構成材料を分離回収する方法。
【請求項３】
該カーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段とを設けると共に、少なくとも該第１の把持手段に、該カーペットを該ループパイル糸のステッチ方向に引き伸ばして該裏打ち層と基布層の一部を破断せしめると同時に該カーペット層を構成する該ループパイル糸を該ループが解消する様に引き伸ばしながらの該基布層から分離させる機能を付与せしめ、該第１の把持手段に該カーペットの一つの端部を把持させると共に該第２の把持手段に該カーペットの他の端部若しくは該端部以外の１部を把持させた後、少なくとも該第１の把持手段を駆動させて該カーペット層を構成する該ループパイル糸と基布層と裏打ち層を個別に分離することを特徴とする請求項２に記載のループパイル糸を有するタフテッドタイプのカーペットの各構成材料を分離回収する方法。
【請求項４】
該第１の把持手段と該第２の把持手段の少なくとも一方は、少なくとも該カーペットの１部を固定把持する構造を有しており、且つ少なくとも該第１の把持手段を該第２の把持手段から該ループパイル糸のステッチ方向に沿って離反する方向に移動させる事を特徴とする請求項３に記載のループパイル糸を有するタフテッドタイプのカーペットの各構成材料を分離回収する方法。
【請求項５】
該カーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段で把持し、該第１の把持手段と第２の把持手段の間のカーペットを上下動する押圧部材で押圧する事により該カーペットをステッチ方向に引き伸ばして該裏打ち層と基布層の一部を破断せしめると同時に該カーペット層を構成する該ループパイル糸を該ループが解消する様に引き伸ばして該基布層から分離させることを特徴とする請求項２に記載のループパイル糸を有するタフテッドタイプのカーペットの各構成材料を分離回収する方法。
【請求項６】
該第１及び第２の把持手段の少なくとも一方は、一対の基体部からなり、相互に対向した一対の面のそれぞれに突起部、針状部、突状部、畝状部、溝状部等から選択された少なくとも一つの種類からなる複数個の係止部材が形成されている事を特徴とする請求項３乃至５の何れかに記載のループパイル糸を有するタフテッドタイプのカーペットの各構成材料を分離回収する方法。
【請求項７】
該第１及び第２の把持手段の少なくとも一方は、一対の加圧式回転可能ローラで構成されている事を特徴とする請求項３に記載のループパイル糸を有するタフテッドタイプのカーペットの各構成材料を分離回収する方法。
【請求項８】
該第１及び第２の把持手段の双方を一対の加圧式回転可能ローラで構成し、該第１の把持手段である一対の第１加圧式回転可能ローラに該カーペットの一つの端部を把持固定させると共に該第２の把持手段である一対の第２加圧式回転可能ローラに該カーペットの該端部以外の１部若しくは該カーペットの他方の端部を把持固定させた後、少なくとも該第１加圧式回転可能ローラの該カーペットを引き伸ばす方向に於ける回転速度を該第２加圧式回転可能ローラの当該回転速度より大なる速度で回転させる事を特徴とする請求項７に記載のループパイル糸を有するタフテッドタイプのカーペットの各構成材料を分離回収する方法。
【請求項９】
該カーペットは、タイルカーペットである事を特徴とする請求項１乃至８の何れかに記載の分離回収する方法。
【請求項１０】
該カーペットは、カーペット本体部の製造時に発生する縦耳バリである事を特徴とする請求項１乃至９の何れかに記載の分離回収する方法。
【請求項１１】
該カーペットのトリミング工程に連続して、請求項１乃至１０の何れかに記載された分離回収する方法を実行する事を特徴とするループパイル糸を有するタフテッドタイプのカーペットの各構成材料を分離回収する方法。
【請求項１２】
少なくともループパイル糸からなるカーペット層と基布層と裏打ち層の三層からなるカーペットの一つの端部を機械的に把持する第１の把持手段と、該カーペットの一つの端部から該ループパイル糸のステッチ方向に所定の距離だけ該カーペット本体内部方向に移動した位置に配置されている該カーペットの１部を機械的に把持するか或いは該カーペットの他方の端部を機械的に把持する第２の把持手段と、少なくとも該第１の把持手段に該カーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させる機能が付与されており、且つ該第１の把持手段に当該機能を発揮させる駆動手段が設けられていることを特徴とするループパイル糸を有するタフテッドタイプのカーペットの各構成材料を分離回収する装置。
【請求項１３】
該第１の把持手段と該第２の把持手段の少なくとも一方は、少なくとも該カーペットの１部を固定把持する構造を有しており、且つ少なくとも該第１の把持手段を該第２の把持手段から該ループパイル糸のステッチ方向に沿って離反する方向に移動させる把持手段移動機構とを有し、少なくとも該第１の把持手段を該第２の把持手段から離反する方向に移動させることによって、カーペット層を構成する該ループパイル糸と基布層と裏打ち層を個別に分離することを特徴とする請求項１２に記載のループパイル糸を有するタフテッドタイプのカーペットの各構成材料を分離回収する装置。
【請求項１４】
少なくともループパイル糸からなるカーペット層と基布層と裏打ち層の三層からなるカーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段と、該第１の把持手段と第２の把持手段の間のカーペットを上下動して押圧する押圧部材とで構成されており、当該押圧部材が該カーペットを押圧することによって該カーペットをステッチ方向に引き伸ばして該裏打ち層と基布層の一部を破断せしめると同時に該カーペット層を構成する該ループパイル糸を該ループが解消する様に引き伸ばして該基布層から分離させることを特徴とするループパイル糸を有するタフテッドタイプのカーペットの各構成材料を分離回収する装置。
【請求項１５】
該第１及び第２の把持手段の少なくとも一方は、一対の基体部からなりかつ相互に対向した一対の面のそれぞれに突起部、針状部、突状部、畝状部、溝状部等から選択された少なくとも一つの種類からなる複数個の係止部材が形成されている事を特徴とする請求項１２乃至１４に記載のループパイル糸を有するタフテッドタイプのカーペットの各構成材料を分離回収する装置。
【請求項１６】
該第１の把持手段と該第２の把持手段は、少なくとも該カーペットの１部若しくは該カーペットの端部を機械的に把持する一対の加圧式回転可能ローラからなる構造を有しており、且つ少なくとも該第１の把持手段に於ける該第１の加圧式回転可能ローラの該カーペットを引き伸ばす方向に於ける回転速度を該第２の把持手段に於ける該第２の加圧式回転可能ローラの当該回転速度より大なる速度で回転させる加圧式回転可能ローラー駆動制御手段が設けられていることを特徴とする請求項１２に記載のループパイル糸を有するタフテッドタイプのカーペットの各構成材料を分離回収する装置。
【請求項１７】
該カーペットのトリミング工程に接続して、請求項１２乃至１６に記載された分離回収装置が設けられている事を特徴とするループパイル糸を有するタフテッ
ドタイプのカーペットの各構成材料を分離回収装置。
【発明の詳細な説明】
【技術分野】
【０００１】
本発明は少なくともループパイル糸からなるカーペット層と基布層と裏打ち層の三層からなるカーペットから該カーペットを破砕するに先立って、該カーペット層を構成する該ループパイル糸と基布層と裏打ち層を個別に分離回収する様に構成したカーペットのリサイクル方法及びタフテッドタイプのカーペットの上記した各構成材料を分離回収する方法及びその装置に関するものである。
【背景技術】
【０００２】
タイルカーペツトが広く使われるようになって１０数年が経過し、更新の時期を迎えている。一方、廃棄物の処理は年々困難になってきており、特に塩化ビニル樹脂系製品は燃やした場合ダイオキシン発生の問題を伴い、その廃棄は一層困難であるため、回収した使用済みのタイルカーペットの再利用が社会的課題となってきている。米国などは洗浄して表面のカーペット層を再度染色して模様を施し、再利用しているが、一度汚れたカーペット層の汚れを充分に落とすことは難しく、染色の色合いは必然的に濃い色に限定されてくるのが実情である。
【０００３】
タイルカーペットの再利用技術としては、例えば、特許文献１〜２記載の技術がある。これらの技術は、カーペット層を実質的に刈り取って除去することにより得られた廃材の表面または裏面に表面化粧樹脂層を形成するものである。
【０００４】
カーペット層を実質的に刈り取って除去する理由は、カーペット層が存在すると、その面に接着剤や粘着材が適用できないからである。そのため、これらの技術においてはカーペット層を実質的に刈り取ってしまう必要があったのである。
【０００５】
しかし、カーペット層の刈り取り工程が必要となるためコストアップの原因となる。
【０００６】
また、特許文献３〜５に記載されている回収タイルカーペットを微細に粉砕し、比重分離法等によりカーペット層と塩化ビニル裏打ち層を分離する方法も一般に行われているが、常温で柔らかいタイルカーペットを粉砕するには多くのエネルギーを必要とし、粉砕時の騒音も大きい。
【０００７】
更に、特許文献６には、マイナス３０℃以下に冷凍することにより容易に破砕出来る裏打ち層を用いたタイルカーペットを作ろうということも提案されているが、既に市場に出回っている軟質塩化ビニルを裏打ち層とするタイルカーペットに適用するには冷凍温度を極度に低くする必要がある。
【０００８】
これらの技術はいずれもタイルカーペットの塩化ビニル裏打ち層は、混ざり物が少ない状態で回収できれば再利用できると言う発想に基づいている。従って、ナイロン繊維は取り除いて廃棄するか、もしくは焼却すると言うことが前提であり、刈り取ったり、微粉砕してでもタイルカーペットから除去すると言う考え方であった。しかし、これらの方法では粉砕されたカーペットの毛屑を完全に除去するには至らず、回収された塩化ビニール裏打ち層に混入して、その品質を低下させる原因となっている。
【０００９】
繊維屑は衣類の屑が再利用できずに大量に滞貨になっているので、今更タイルカーペットからの回収繊維を利用しようと言うのは無理なこととも考えられるが、素材がナイロンに限定されており、微粉砕されておらずに繊維としてのある程度の長さを保持しているものが回収できれば、再利用の道が開けてくるものと考える。
【００１０】
これらの問題を解決するために、本発明者等は先に特許文献７の技術を特許出願した。この技術は塩化ビニル裏打ち層を効率良く回収して再利用することには成功したが、塩化ビニル裏打ち層以外は塩化ビニルコンパウンドがこびりついたカーペット層と基布層が一体になっており、この繊維層を再利用するには更にカーペット繊維を分離回収する必要があった。
【００１１】
また、タイルカーペットの製造時には、耳バリが大量に発生するが、この耳バリは、形状が特異であるために文献７でも解決は難しかった。
【００１２】
この耳バリは、タイルカーペットの寸法精度を上げるために、一旦カーペット層と塩化ビニル裏打ち層を貼り合せた広幅長尺のシートを作り、タイルカーペットの形状のパンチで打ち抜く時に発生する生産工程上に大量に発生する副生物である。
【００１３】
【特許文献１】特開２０００−２２０２８１号公報
【特許文献２】特開２０００−２２０２８２号公報
【特許文献３】実開昭５９―１３２５８１号公報  １頁
【特許文献４】実開昭５９―１３２５８２号公報  １頁
【特許文献５】特開平８―３１２１１７号公報  ２頁  段落０００５
【特許文献６】特開平９―１７３１９７号公報  3頁  段落００１８
【特許文献７】特願２００２−３２０４２１号（未公開）
【発明の開示】
【発明が解決しようとする課題】
【００１４】
従って、本発明の目的は、上記した従来の問題を解決し多大のエネルギーを要せず、騒音も粉塵の発生も少なく且つ、タイルカーペットを含む一般のタフテッドタイプのパイルカーペットに於いて、カーペット層の繊維と繊維屑の混合の少ない塩化ビニルコンパウンド等からなる裏打ち層を該カーペットを破砕するに先立ち該カーペットから効率的に分離回収する方法及びその装置を提供するものであり、特に、生産工程で発生が避けられない耳バリからのカーペット層の繊維と繊維屑の混合の少ない塩化ビニルコンパウンド等からなる裏打ち層を該耳バリを破砕する前に、分離回収する方法及びその装置を提供するものである。
【課題を解決するための手段】
【００１５】
本発明は上記した目的を達成するため、基本的に以下に記載されたような構成を採用するものである。
【００１６】
即ち、本発明に於ける第１の態様としては、少なくともループパイル糸からなるカーペット層と基布層と裏打ち層の三層からなるカーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させると共に該裏打ち層から剥離させることによって、カーペット層を構成する該ループパイル糸と基布層と裏打ち層を該カーペットを破砕するに先立ち、個別に分離する、カーペットの各構成材料を分離回収する方法であり、又本発明に於ける第２の態様としては、該カーペットの一つの端部を機械的に把持する第１の把持手段と該カーペットの一つの端部から該ループパイル糸のステッチ方向に所定の距離だけ該カーペット本体内部方向に移動した位置に配置されて該カーペットの１部を機械的に把持するか若しくは該カーペットの他方の端部位置に配置され該カーペットの当該端部を機械的に把持する第２の把持手段とを設けると共に、少なくとも該第１の把持手段に該カーペットを該ループパイル糸のステッチ方向に引き伸ばして該裏打ち層と基布層の一部を破断せしめると同時に該カーペット層を構成する該ループパイル糸を該ループが解消する様に引き伸ばしながらの該基布層から分離させる機能を付与せしめ、該第１の把持手段に該カーペットの一つの端部を把持させると共に該第２の把持手段に該カーペットの他の端部若しくは該端部以外の１部を把持させた後、少なくとも該第１の把持手段を駆動させて該カーペット層を構成する該ループパイル糸と基布層と裏打ち層を個別に分離する様に構成されたカーペットの各構成材料を分離回収する方法である。
【００１７】
更に、本発明に於ける第３の態様としては、少なくともループパイル糸からなるカーペット層と基布層と裏打ち層の三層からなるカーペットの一つの端部を機械的に把持する第１の把持手段と、該カーペットの一つの端部から該ループパイル糸のステッチ方向に所定の距離だけ該カーペット本体内部方向に移動した位置に配置されている該カーペットの１部を機械的に把持するか或いは該カーペットの他方の端部に位置する該カーペットの他方の端部を機械的に把持する第２の把持手段と、少なくとも該第１の把持手段に該カーペットを該ループパイル糸のステッチ方向に引き伸ばして該裏打ち層と基布層の一部を破断せしめると同時に該カーペット層を構成する該ループパイル糸を該ループが解消する様に引き伸ばしながらの該基布層から分離させる機能が付与されており、且つ該第１の把持手段に当該機能を発揮させる駆動手段が設けられているループパイル糸を有するタフテッドタイプのカーペットの各構成材料を分離回収する装置である。
【発明の効果】
【００１８】
本発明は、基本的には上記した様な技術構成を採用しているので、以下に示す様な作用効果を発揮する事が可能である。
（１）カーペットを破砕するに先立ち各構成層を個別に分離している為に、分離回収した裏打ち層にはカーペットの繊維屑の混入が少なく、裏打ち層用の物質としては極めて純度が高い。従って、再溶融してカーペットや他の床材の原料として再利用するのに極めて有用である。
（２）裏打ち層に塩化ビニル樹脂を使用した場合には、分離したループパイル糸の繊維中には塩化ビニルを約５０％含んでいるが、接着剤が付着していないので管理型ではない産業廃棄物処理場にも処分し得るし、処理前のカーペットに比べ、重量で３分の1に減量しており塩化ビニル裏打ち層の含有量も回収処理する前に８７％だったものが回収処理後５０％に変化しているので、廃棄物が大幅に削減される。
（３）例えば、上記の様な場合には、分離した繊維に付着している塩化ビニル粒子は、繊維を擦るとか、揉むとかすることで分離することができるので、より純度の高い繊維を得ることができ、繊維、例えば、ナイロンそのものとしての利用方法も開けてくる。
【００１９】
本発明の分離回収方法は、従来法に比べて騒音や粉塵の発生が少なく、エネルギー消費量も少ない。さらに、本発明では特許文献１〜５の従来法の分離回収方法に不可欠な粉砕工程や刈り取り工程を必要としないため、カーペットの繊維屑その他の塵埃が発生することが無く、作業環境および作業者の健康上も極めて良好である。
【発明を実施するための最良の形態】
【００２０】
以下に本発明の具体的な態様に於ける構成の例を図面を参照しながら詳細に説明する。
【００２１】
即ち、図１は本発明にかかる第１の態様の一具体例の構成の例を示す図であって、図中、少なくともループパイル糸１１からなるカーペット層１０と基布層１２と裏打ち層１３の三層からなるカーペット１を該ループパイル糸１１のステッチ方向に引き伸ばして該裏打ち層１３と基布層１２の一部を破断せしめると同時に該カーペット層１０を構成する該ループパイル糸１１を該ループが解消する様に引き伸ばしながら該基布層１２から分離させると共に該裏打ち層１３から剥離させることによって、カーペット層１０を構成する該ループパイル糸１１と基布層１２と裏打ち層１３を個別に分離する事を特徴とするループパイル糸１１を有するタフテッドタイプのカーペット１の各構成材料を分離回収する方法が示されている。
【００２２】
又、上記態様のより詳細な具体例である本発明に於ける第２の態様としては、該カーペット１の一つの端部２３を機械的に把持する第１の把持手段２１と該カーペット１の一つの端部２３から該ループパイル糸１１のステッチ方向に所定の距離だけ該カーペット本体内部方向に移動した位置２４に配置されて、該カーペットの１部を機械的に把持するか若しくは該カーペット１の他方の端部位置２４‘に配置され該カーペットの当該端部２４を機械的に把持する第２の把持手段２２とを設けると共に、少なくとも該第１の把持手段２１に該カーペット１を該ループパイル糸１１のステッチ方向（図１（Ｂ）の矢印２５の方向）に引き伸ばして該裏打ち層１３と基布層１２の一部を破断２６及び２７せしめると同時に該カーペット層１０を構成する該ループパイル糸１１を該ループが解消する様に引き伸ばしながら該基布層１２から分離させる機能を付与せしめ、該第１の把持手段２１に該カーペット１の一つの端部２３を把持させると共に該第２の把持手段に該カーペットの他の端部２４’若しくは該端部以外の１部２４を把持させた後、少なくとも該第１の把持手段２１を駆動させて該カーペット層１を構成する該ループパイル糸１１と基布層１２と裏打ち層１３を個別に分離する様に構成させるものである。
【００２３】
即ち、本具体例に於いては、該第１の把持手段２１と該第２の把持手段２２の少なくとも一方は、例えば少なくとも該カーペットの１部を固定把持する構造を有しており、具体的には、図２に示す様に、該第１及び第２の把持手段２１、２２の少なくとも一方若しくはその双方は、相互に対向した一対の基体部２１、２１’で構成され、それぞれ相互に対向する一対の面２１−１と２１’−１のそれぞれに突起部、針状部、突状部、畝状部、溝状部等から選択された少なくとも一つの種類からなる複数個の係止部材５が形成されているものであっても良く、或いは剣山状のものであっても良い。
【００２４】
又、本発明に於いては、少なくとも該第１の把持手段２１を該第２の把持手段２２から該ループパイル糸１１のステッチ方向２５に沿って離反する方向に移動させる様に構成されている事が好ましく、該第１の把持手段２１は適宜の摺動機構を使用し、且つ該裏打ち層１３と基布層１２の一部を破断せしめるに十分な荷重を該カーペット１に印加しながら移動する様に構成されている。
【００２５】
そしてこの二つの把持手段の相対的な離間速度叉はカーペットの引っ張り速度が、２００ｍｍ／分以上とすることが好ましい。
【００２６】
又、該第２の把持手段２２は固定されていても良く、必要によっては、該第１の把持手段２１とは反対の方向に移動する様に構成する事も可能である。
【００２７】
本発明に於いては，該第１及び第２の把持手段２１，２２を摺動させるために適宜の駆動手段５０、５１が設けられている事が好ましく、更には、該第１及び第２の把持手段２１，２２の加圧力の調整或いは該第１及び第２の把持手段２１，２２の該カーペット１を把持する状態と解放する状態との切り替え操作を制御する制御手段６０，６１が設けられることも好ましい。
【００２８】
又、該第１及び第２の把持手段２１、２２は、処理されるカーペット１の幅よりも幾分長い軸方向の長さを有しているものであっても良く、又処理されるカーペット１の幅に対して複数に分割された軸方向の長さを有するものであっても良い。
【００２９】
本発明に於いて対象となるカーペット１としては、ループパイル糸１１をカーペット層１０に使用して、例えば不織布等を基布層１２とし、例えば塩化ビニル等の合成樹脂材料を裏打ち層１３に使用したカーペットであり長尺状のカーペットであっても良く、又、特定のサイズ、形状に裁断されているタイルカーペットで有っても良い。
【００３０】
更には、本発明に於ける該カーペット１としては、カーペット本体部の製造時に発生する縦耳バリ１５であっても良い。
【００３１】
つまり、本発明に於いては、該カーペット１の一部で、該ループパイル糸１１のステッチ方向に所定の間隔をあけて配置されている２ヶ所の部分を機械的に固定し、該カーペット１を該ループパイル糸１１のステッチ方向に引き伸ばして基布層１２の縦方向の糸を引きちぎることにより、カーペット層１０のループパイル糸１１を引き抜くことでカーペット１をカーペット層１０のループパイル糸１１と基布層１２と裏打ち層１３の三層に分離するものである。
【００３２】
そして、該カーペット１がタイルカーペットであれば、図１に示される上記操作が該タイルカーペット１毎に繰り返され、又該カーペット１が長尺状のカーペットである場合には、例えば上記の操作が終了すると、該第１の把持手段２１と該第２の把持手段２２に於ける該カーペットの把持を解放し、該第１の把持手段２１を元の位置に戻すと同時に該長尺状のカーペットを該第１の把持手段２１の方向に所定の長さだけ移動させた後に、該第１及び第２の把持手段に該カーペットの所定の部位を把持固定させた後に上記操作が繰り返される。
【００３３】
その為、本発明に於いては、該第１及び第２の把持手段の少なくとも一方若しくは双方は、該カーペットを把持する状態と該カーペットを解放する状態の双方の状態がとれる様に構成されている事が望ましい。
【００３４】
更に、本発明に於いては、少なくとも該第２の把持手段２２の近傍から発生する該ループパイル糸１１と基布層１２から分離された裏打ち層１３と該ループパイル糸１１と裏打ち層１３から分離された基布層１２とを個別に適宜の引き取り手段３０，３１を介すか介さずに個別の収納手段３２，３３に個別に収納する様に構成する事も出来る。
【００３５】
この場合、該引き取り手段３０，３１は、適宜のガイド部材或いは、回転ガイドローラ或いは吸引式ガイド部材等が使用可能である。
【００３６】
又、該収納手段３２，３３としては、例えば、ドラム、ケンス、箱体、或いは巻き取りローラー等で有っても良い。
【００３７】
同様に本発明に於いては、該第１の把持手段２１の近傍から発生する該ループパイル糸１１と基布層１２から分離された裏打ち層１３と該ループパイル糸１１と裏打ち層１３から分離された基布層１２とを個別に適宜の引き取り手段３４，３６を介すか介さずに個別の収納手段３５，３７に個別に収納する様に構成する事も出来る。
【００３８】
更に、本発明に於いては、該カーペット１の該裏打ち層１３と基布層１２とから分離されたループパイル糸１１を該第１の把持手段２１の近傍に設けられた適宜の引取り手段３８を介すか介さずにループパイル糸収納手段３９に収納する様に構成する事も出来る。
【００３９】
又、本発明に於いては、上記の様に分離された該ループパイル糸１１を例えば、該第１の把持手段に把持されているカーペット１の一部と切り離して該収納手段３９に収納するために、該第１の把持手段２１の近傍に適宜のカッター手段４１を設けても良く、又、該ループパイル糸１１を適当な長さで収納するために該第２の把持手段２２の近傍に適宜のカッター手段４０を設けても良い。
【００４０】
一方、本発明に於いては、該裏打ち層を破断し易くするために、該第１及び第２の把持手段２１，２２の間に、少なくとも該裏打ち層を加熱する加熱手段４２が設けられている事も望ましい。
【００４１】
ここで、本発明にかかるループパイル糸を有するタフテッドタイプのカーペットの各構成材料を分離回収する方法についてタイルカーペットを例にして更に詳しく説明する。
【００４２】
本発明において一具体例として使用されるタイルカーペット１とは、カーペット層１０と基布層１２と例えば塩化ビニル等からなる合成樹脂製の裏打ち層１３の少なくとも三層からなる構造を有し、ループパイル糸１１を有するタフテッドタイプの床仕上げ材を指し、施工時に副生する施工端材でも良いし、回収された使用済みのものでも良いし、製造工程で発生する耳バリでも良い。特に、本発明の方法は、タイルカーペットの製造時に大量に発生する耳バリのうち縦耳バリの処理に有効である。
【００４３】
本発明が適用されるカーペットの裏打ち層１３の構成は特に限定されるものではなく、塩化ビニル樹脂の他に、ポリプロピレン樹脂、ポリウレタン樹脂等の合成樹脂が使用される他、アスファルト等を使用したものであっても良い。
【００４４】
本発明において回収された使用済みのタイルカーペット１は、カーペット層(繊維層)がナイロン繊維であるものがほとんどであるが、ポリプロピレン繊維のもの、ポリエステル繊維のものなどもあるので、分離回収後の繊維の再利用や処理の観点から、分離回収工程に通す前の段階で回収ロット毎に分別検査をして、繊維の種類毎に分別する必要がある。分別検査の方法は火をつけて煙の匂いを嗅ぐ方法等が一般的である。
【００４５】
本発明におけるタイルカーペット１の該ループパイル糸１１のステッチ方向の両端を機械的に固定する方法は、一対の平板によってタイルカーペットをくわえて固定する方法も用いられるが、その他に、例えば、剣山状の一対の治具が向き合って合わさったものであり、この針によってタイルカーペットをくわえて固定する方法も有効に用いられる。特に、この剣山状の一対の治具を用いる方法は、くわえている部分の繊維が残ることなく最後まで引き抜かれるのでより好ましく用いられる。この場合、剣山の針部分の長さはタイルカーペットの塩化ビニル等の合成樹脂からなる裏打ち層の厚さを超えないことが望ましい。
【００４６】
本発明においては、分離回収は常温で行われるがタイルカーペットの裏打ち層１３を加熱軟化することにより分離はより容易になる。但し、加熱温度が１8０℃を越えると塩化ビニル裏打ち層が分解を起こし始めるので好ましくない。
【００４７】
タイルカーペット１を加熱する方法については、熱風を吹き付ける方法、加熱炉を通過させる方法、赤外線ヒーターを通過させる方法、熱板の上を通過させる方法、超音波加熱を用いる方法などが挙げられるが、回収した使用済みタイルカーペットの場合にはカーペット側が汚れているので、洗浄を兼ねてスチームを吹き付ける方法も採用可能である。
【００４８】
タフテッドタイプのタイルカーペットは基布１２にループパイル糸１１が打ち込まれ該ループパイル糸１１がパイル状に折り畳まれた状態になっており、該ループパイル糸１１が抜けないように固定しているのは塩化ビニル等の合成樹脂からなる裏打ち層１３若しくはラテックスコーティングの凝縮力のみである。従って、基布１２をタイルカーペットのステッチ方向に引き伸ばして引きちぎれば折り畳まれた状態になっている繊維つまりループパイル糸１１がフリーになって基布層１２から引き抜かれ、この時のせん断力で基布層１２と塩化ビニル等の合成樹脂からなる裏打ち層１３も分離されるのである。この方法の原理は、タイルカーペットの繊維進行方向の片側を機械的に固定し、塩化ビニル裏打ち層を加温した後に、反対側の端部をペンチ等の工具でつまんで引き抜くことで実現確認できる。
【００４９】
勿論、本発明は上記の様なタイルカーペットに限定されるものではなく、通常の広幅長尺カーペット１（１００）を使用する事も可能である。
【００５０】
次に、本発明の耳バリについて説明する。
【００５１】
タイルカーペット１の製造は、図３に示す様に、タイルカーペット１の寸法精度を上げるために、一旦カーペット層１０と塩化ビニル裏打ち層１３を貼り合せた広幅長尺のカーペットを作り、しかる後に、タイルカーペット１の形状のパンチ４で打ち抜いて製造する。その時、タイルカーペット１の形状とタイルカーペット１の形状との間隙部分を耳バリと称する。これらは、タイルカーペット１の製造時に大量に副生する。
【００５２】
本発明において縦耳バリ１５とは、タイルカーペット１のループパイル糸１１のステッチ方向に沿った耳バリであり、横耳バリ１６とはタイルカーペットのステッチ方向に交差する方向の耳バリである。
【００５３】
図３は、タイルカーペット１の製造工程で縦耳バリ１５と横耳バリ１６が副生する様子を表わした平面図である。
【００５４】
即ち、タイルカーペット１の製造は、タイルカーペットの寸法精度を上げるために、一旦カーペット層１０と塩化ビニル裏打ち層１３を貼り合せた広幅長尺のシート、つまり広幅長尺カーペット１（１００）を作り、しかる後に、図４に示されているタイルカーペット１の形状のパンチ４で打ち抜いて製造する。その時、タイルカーペットの形状とタイルカーペットの形状との間隙部分が、縦耳バリ１５と横耳バリ１６として副生する。
【００５５】
本発明は、この耳バリの内の大部分を占める縦耳バリ１５からのカーペット層１０のループパイル糸１１と基布層１２と塩化ビニル裏打ちの層１３の分離回収に特に好ましく用いられる。
【００５６】
分離されたカーペット層１０のループパイル糸１１には例えば塩化ビニル裏打ち層１３の一部が微粉末状で付着されているが、該塩化ビニル裏打ち層１３は境界面に生じた層間のずれのためにボロボロ状態になっており、分離されたループパイル糸１１である、例えばナイロン繊維を擦るとか、揉むとか、叩くとか更にはこのような作業を塩化ビニルコンパウンドのガラス転移点以下の温度に冷却して行うことで含有されている塩化ビニル裏打ち層をさらに丁寧に分離すれば、より純度の高いナイロン繊維を得ることができる。
【００５７】
以上の方法の詳細な実施例を以下に説明する。
【００５８】
実施例１
図１に於いて、カーペット層と基布層と塩化ビニル裏打ち層の三層からなるナイロン繊維のループ層を有するタフテッドタイプの回収された使用済みのタイルカーペット(全体厚さ６．５ｍｍ、塩化ビニル裏打ち層の厚さ３．０ｍｍ、  ５００ｍｍ角)をループパイル糸１１のステッチ方向の両端を一対の剣山状の固定治具からなる第１と第２の把持手段２１，２２によって機械的に固定し、室温（２５℃）でタイルカーペット１をループパイル糸１１のステッチ方向に６５０Ｋｇｆの力で引き伸ばして基布層１２の縦方向の糸を引きちぎることにより、カーペット層１０のループパイル糸１１を引き抜くことでタイルカーペット１からナイロン繊維からなるループパイル糸１１と基布層１２と塩化ビニル裏打ち層１３の三層に分離することができた。ナイロン繊維１１（重量比２５％でその内、塩化ビニルコンパウンド含有量は５０％であった）と基布層１２（重量比１０％でその内、塩化ビニルコンパウンド含有量８０％であった）と塩化ビニルコンパウンド（重量比６５％で繊維屑の混入無し）を得ることができた。得られたナイロン繊維（塩化ビニルコンパウンド含有量５０％）を叩くことによってさらに純度の高いナイロン繊維（塩化ビニルコンパウンド含有量４０％）が得られた。
【００５９】
本発明で分離回収された繊維、例えばナイロン繊維は予め他の繊維と分別してあるので、塩化ビニル裏打ち材をごく少量含んだ粗ナイロンとして利用し、ＯＡ床の床パネル、コンクリート打設時の型枠材等の強度を要する板材として利用することができる。
【００６０】
次に、本発明にかかるループパイル糸を有するタフテッドタイプのカーペットの各構成材料を分離回収する方法の他の具体例の構成について詳細に説明する。
【００６１】
本具体例は、少なくともカーペット層１０と基布層１２と裏打ち層１３の三層からなるカーペットを該カーペットのループパイル糸１１のステッチ方向の一方の端を少なくとも一対のロールで機械的に固定し、もう一方の端を前記ロールの回転数より速い回転数で回転する少なくとも一対のロールで把持しつつ、該カーペット１をループパイル糸１１のステッチ方向に引き伸ばして、基布層１２の縦方向の糸を引きちぎることにより、カーペット層１０のループパイル糸１１を基布層から引き抜くことでカーペット１をカーペット層１０のループパイル糸１１と基布層１２と裏打ち層１３の三層に分離する様に構成されているループパイル層を有するタフテッドタイプのカーペットからカーペットの各構成材料を分離回収する方法である。
【００６２】
本具体例をより詳細に説明するならば、上記した具体例に於ける該第１及び第２の把持手段２１，２２の少なくとも一方は、一対の加圧式回転可能ローラで構成するものであり、更に詳細には、該第１及び第２の把持手段２１，２２の双方を１対の加圧式回転可能ローラで構成し、該第１の把持手段２１である一対の第１加圧式回転可能ローラ２１１に該カーペット１の一つの端部２３を把持固定させると共に該第２の把持手段２２である一対の第２加圧式回転可能ローラ２２１に該カーペット１の他方の端部２４’若しくは当該端部以外の１部２４を把持固定させた後、少なくとも該第１加圧式回転可能ローラ２１１の該カーペットを引き伸ばす方向に於ける回転速度を該第２加圧式回転可能ローラ２２１の当該回転速度より大なる速度で回転させる事によって、該カーペット１を該ループパイル糸１１のステッチ方向に引き伸ばして該裏打ち層１３と基布層１２の一部を破断せしめると同時に該カーペット層１０を構成する該ループパイル糸１１を該ループが解消する様に引き伸ばしながらの該基布層１２から分離させることによって該カーペット層を構成する該ループパイル糸と基布層と裏打ち層を個別に分離する様に構成されているものである。
【００６３】
つまり、本具体例では、該第１加圧式回転可能ローラ２１１が該カーペットを該ループパイル糸のステッチ方向に引き伸ばして該裏打ち層と基布層の一部を破断せしめると同時に該カーペット層を構成する該ループパイル糸を該ループが解消する様に引き伸ばしながらの該基布層から分離させる機能を発揮する様に構成されているのである。
【００６４】
又、本具体例に於いては、該第１及び第２の加圧式回転可能ローラ２１１、２２１は何れも積極的に所定の回転速度で回転駆動される様に構成されると同時に必要な場合には、回転駆動が停止せしめられる様に構成されている事が望ましい。
【００６５】
更に、本具体例に於いては、該第１及び第２の加圧式回転可能ローラ２１１、２２１は何れも所定の加圧力で該カーペット１を把持し且つ回転或いは固定出来る様に適宜の加圧力を調整したり、該第１及び第２の加圧式回転可能ローラ２１１、２２１を構成するそれぞれ一対のローラー２１１、２１１’及び２２１、２２１’の対向する各ローラー間の間隙（ゲージ）を自由に変更するための制御手段６０，６１が併設されている事が好ましく。
【００６６】
又、上記した様に本具体例では、該第１加圧式回転可能ローラ２１１の回転速度を調整しながら該第１加圧式回転可能ローラ２１１を所定の回転速度で回転制御する第１加圧式回転可能ローラ駆動手段５０と該第２加圧式回転可能ローラ２２１の回転速度を調整しながら該第２加圧式回転可能ローラ２２１を所定の回転速度で回転制御する第２加圧式回転可能ローラ駆動手段５１とが設けられており、該第１加圧式回転可能ローラ駆動手段５０と第２加圧式回転可能ローラ駆動手段５１とを適宜調整制御する事によって該第１加圧式回転可能ローラ２１１の回転速度を該第２加圧式回転可能ローラ２２１の回転速度より大なる速度で回転させて上記した分離操作を実現させる事が可能である。
【００６７】
この回転速度の差は、カーペットの引っ張り速度で２００ｍｍ／分以上となるように設定することが望ましい。
【００６８】
尚、本発明に於ける該第１及び第２の一対の加圧式回転可能ローラ２１１，２２１における各ローラーの表面は、該カーペットを確実に把持し引き伸ばすに必要な摩擦力を有している事が好ましく、又、一対のローラー間に印加される加圧力との総合によって適切な把持力を実現出来る。
【００６９】
又、該第１及び第２の一対の加圧式回転可能ローラ２１１，２２１における各ローラーの回転数或いは回転数差も、該カーペットの構成に応じて適宜決定されるものである。
【００７０】
図５は、本具体例のループパイル糸を有するタフテッドタイプのカーペットの各構成材料を分離回収する方法の一例を示す図であり、図５（Ａ）中、該カーペット１の一つの端部２３を機械的に把持する第１の把持手段２１である一対の第１加圧式回転可能ローラ２１１と該カーペット１の一つの端部２３から該ループパイル糸１１のステッチ方向に所定の距離だけ該カーペット本体内部方向に移動した位置２４に配置されて該カーペットの１部を機械的に把持するか若しくは該カーペット１の他方の端部位置２４’にある該カーペットの他方の端部２４’を機械的に把持する第２の把持手段２２である一対の第２加圧式回転可能ローラ２２１とを設けると共に、少なくとも該第１加圧式回転可能ローラ２１１の回転速度を第２加圧式回転可能ローラ２２１の回転速度よりも大きくなる様に設定して駆動させる事によって、該カーペット１を該ループパイル糸１１のステッチ方向（図５（Ｂ）の矢印２５の方向）に引き伸ばして、図５（Ｂ）に示す様に該裏打ち層１３と基布層１２の一部を破断２６及び２７せしめると同時に該カーペット層１０を構成する該ループパイル糸１１を該ループが解消する様に引き伸ばしながら該基布層１２から分離させることによって該カーペット層１を構成する該ループパイル糸１１と基布層１２と裏打ち層１３を個別に分離する様に構成させる事も可能である。
【００７１】
そして、該カーペット１がタイルカーペットであれば、図５に示される様に、該第１加圧式回転可能ローラ２１１は所定の回転数で回転されるが、該第２加圧式回転可能ローラ２２１は回転を停止しているものであっても良く或いは、該第１加圧式回転可能ローラ２１１の所定の回転数よりも低い回転数に設定されているものであっても良い。さらには互いに反対方向に回転するローラの組み合わせであっても良い。
【００７２】
そして、該カーペット１がタイルカーペットであれば上記操作が該タイルカーペット１毎に繰り返される。
【００７３】
本発明にかかる上記具体例では長尺状のカーペットを処理する場合に特に優れており、その場合には、該第１加圧式回転可能ローラ２１１の回転速度を第２加圧式回転可能ローラ２２１の回転速度よりも大きくなる様に設定して駆動させながら、該カーペット１を第２加圧式回転可能ローラ２２１により所定の速度で該第１加圧式回転可能ローラ２１１の方向に送り出し、該第１加圧式回転可能ローラ２１１の回転速度と第２加圧式回転可能ローラ２２１の回転速度との差によって上記した分離操作が実行され、該ループパイル糸１１が該基布層１２と裏打ちの層１３から分離された状態で第１加圧式回転可能ローラ２１１を通過した後に第１加圧式回転可能ローラ２１１のゲージ（ローラー間の間隙）が、当初は、該カーペットが通過できるように、該カーペットの厚みに依存したゲージに設定されていたものを、該ループパイル糸１１のみを把持して引き出すようなゲージに設定される。
【００７４】
更に、本発明に於いては、図１の具体例と同様に、少なくとも該第２の把持手段２２である一対の第２加圧式回転可能ローラ２２１の近傍から発生する該ループパイル糸１１と基布層１２から分離された裏打ち層１３と該ループパイル糸１１と裏打ち層１３から分離された基布層１２とを個別に適宜の引き取り手段３０，３１を介するか介する事なく個別の収納手段３２，３３に個別に収納する様に構成する事も出来る。
【００７５】
同様に本発明に於いては、該第１の把持手段２１である第１加圧式回転可能ローラ２１１の近傍で本具体例の処理開始時に発生する該ループパイル糸１１に接続された該カーペット１の端部２３とそれに付随した基布層１２及裏打ち層１３とを適宜の収納手段５３に収納する事が望ましい。
【００７６】
その為に、第１加圧式回転可能ローラ２１１の近傍で該ループパイル糸１１と該カーペット１の端部２３とを切断する適宜のカッター手段５２を設けることが望ましい。
【００７７】
一方、該裏打ち層１３及び該基布層１２から分離されたループパイル糸１１は、適宜の引き取り手段５４を介するか介さずに個別の収納手段５５に個別に連続的に収納する様に構成する事も出来る。
【００７８】
本発明に於ける当該具体例に於いては、該一対の第１加圧式回転可能ローラは、該ループパイル糸１１のステッチ方向に任意に変位可能に構成されていても良く、それによって、該裏打ち層１３及び該基布層１２の破断操作を効率化することも可能である。
【００７９】
以下に、上記具体例にかかる詳細な実施例を説明する。
【００８０】
実施例２
実施例1で使用した、回収した使用済みのタイルカーペットを検査工程でナイロンであることを確認した後、タイルカーペットのループパイル糸１１のステッチ方向の一方の端２４を一対の第２加圧式回転可能ローラ２２１で機械的に固定し、タイルカーペットの塩化ビニル裏打ち層の表面温度を加熱手段４２を使用して８０℃に加熱しながら、もう一方の端２３を該第２加圧式回転可能ローラ２２１の該カーペットを引き伸ばす方向に於ける回転速度よりも速い当該回転速度に設定されている一対の第１加圧式回転可能ローラ２１１に把持させた後、該各ローラーを回転させて該カーペットの端部を引き伸ばして基布層１２の縦糸を引きちぎることにより、ナイロン繊維からなるループパイル糸１１を基布層１２から引き抜き、且つタイルカーペット１から塩化ビニル裏打ち層１３が付着したナイロン繊維からなるループパイル糸１１と基布層１２と塩化ビニル裏打ち層１３に分離した。
【００８１】
回収した使用済みのタイルカーペット１のカーペット層１０と塩化ビニル裏打ち層１３の重量比は約１５対８５であったが、この工程を通して三層に分離した結果、純粋な塩化ビニル裏打ち層(重量比で６５％)と塩化ビニル裏打ち層の一部が粉末状で付着したナイロン繊維（重量比で２５％  塩化ビニルコンパウンド含有量５０％）と基布層(重量比で１０％  塩化ビニルコンパウンド含有量８０％)に分離することが出来た。しかる後に、ループパイル糸１１であるナイロン繊維を洗濯機で洗浄乾燥して、微粉末状の塩化ビニル裏打ち層を剥ぎ落として、重量を測ったところ、重量比で２３．７５％であった。タイルカーペット中のナイロン繊維の含有量は重量比で１２．５％であるから、４７％の塩化ビニルが粉末状に付着したナイロン繊維が得られたことになる。
【００８２】
上記した本発明にかかる具体例は、既に製造されたカーペット１を分離する様に構成された工程を説明したが、本発明は、製造中のカーペットの縦耳バリを該製造工程を中断する事なしに、連続して該縦耳バリを分離処理することも可能である。
【００８３】
即ち、本発明の別の態様としては、該カーペットのトリミング工程に連続して、上記した分離回収する方法を実行する様に構成されたループパイル糸を有するタフテッドタイプのカーペットの各構成材料を分離回収する方法である。
【００８４】
つまり、図４は、上記した本発明の別の具体例における処理方法を説明する図であって、カーペット１として、縦耳バリ１５からなるカーペット１を用いた工程の断面図である。
【００８５】
即ち、カーペット層１０と塩化ビニル裏打ち層１３を貼り合せた広幅長尺のカーペット１（１００）は、図３に示される様な広幅長尺のカーペット１（１００）であり、パンチ工程４でタイルカーペット１を打ち抜かれて耳バリだけとなるが、ここで縦耳バリ１５だけを分離して直接上記した図５に示すカーペットの分離処理工程に供給される。
【００８６】
従って、該第２加圧式回転可能ローラ２２１の回転速度は、当該広幅長尺のカーペット１（１００）の製造工程のスピードに同調して固定され、更に、この縦耳バリ１５のもう一方の端部２３をより回転速度の速い一対の該第１加圧式回転可能ローラ２１１に噛ませることにより該第１加圧式回転可能ローラ２１１と該第２加圧式回転可能ローラ２２１との回転速度差により基布層１２の縦方向の糸を引き伸ばし引きちぎると共に裏打ち層１３も引きちぎることによりカーペット層１０のループパイル糸１１、基布層１２と塩化ビニル裏打ち層１３の三層に分離回収出来るのである。
【００８７】
尚、本発明に於ける上記具体例では、横耳バリは、本発明の分離処理の対象には出来ない事は言うまでも無い。
【００８８】
上記本発明の具体例の詳細な実施例を以下に説明する。
【００８９】
実施例３.
ループ層を有するタフテッドタイプのタイルカーペット１の製造工程において、カーペット層１０と塩化ビニル裏打ち層１３を貼り合せた広幅長尺のシート１（１００）からパンチ工程４でタイルカーペット１を打ち抜いた後、横耳バリ１６を連続的に除去しながら、縦耳バリ１５だけを分離操作処理した。この縦耳バリ１５を製造工程のスピードに同調している一対の第２加圧式回転可能ローラ２２１に噛ませ、更にこの縦耳バリ１５の一方の先端部２３をより回転速度の速い一対の第１加圧式回転可能ローラ２１１に噛ませることにより両者の回転速度差により基布層の縦方向の糸を引き伸ばして引きちぎりカーペット層の繊維と基布層１２と塩化ビニル裏打ち層１３の三層に分離回収することができた。なお、横耳バリ１６は従来通りの粉砕工程で粉砕した。
【００９０】
比較例１
実施例1で使用した回収した使用済みのタイルカーペットを洗浄後粉砕して、０．５ｍｍ角以下の粉末にした後、遠心分離機で繊維分をあらかた分離した後、塩化ビニルコンパウンドをシートにした。このシートは繊維屑が取りきれていないので表面に毛羽立ちが多く、タイルカーペットの裏打ち材としては用いることができたが、平らな表面を有する床材の裏打ち材には使用できなかった。
【００９１】
比較例２
実施例3と同様の縦耳バリを０．５ｍｍ角以下の粉末にした後、遠心分離機で繊維分をあらかた分離した後、塩化ビニルコンパウンドをシートにした。このシートは繊維屑が取りきれていないので表面に毛羽立ちが多く、タイルカーペットの裏打ち材としては用いることができたが、平らな表面を有する床材の裏打ち材には使用できなかった。
【００９２】
次に、本発明に於ける第３の態様としては、少なくともループパイル糸からなるカーペット層と基布層と裏打ち層の三層からなるカーペットの一つの端部を機械的に把持する第１の把持手段と、該カーペットの一つの端部から該ループパイル糸のステッチ方向に所定の距離だけ該カーペット本体内部方向に移動した位置に配置されているか或いは該カーペットの他方の端部位置に配置されている、該カーペットの他方の端部若しくは該カーペットの１部を機械的に把持する第２の把持手段と、少なくとも該第１の把持手段に、該カーペットを該ループパイル糸のステッチ方向に引き伸ばして該裏打ち層と基布層の一部を破断せしめると同時に該カーペット層を構成する該ループパイル糸を該ループが解消する様に引き伸ばしながら該基布層から分離させる機能が付与されており、且つ該第１の把持手段に当該機能を実行させる駆動手段が設けられているループパイル糸を有するタフテッドタイプのカーペットの各構成材料を分離回収する装置である。
【００９３】
本態様に於けるループパイル糸を有するタフテッドタイプのカーペットの各構成材料を分離回収する装置に於いては、該第１の把持手段２１と該第２の把持手段２２の少なくとも一方は、少なくとも該カーペットの１部を固定把持する構造を有しており、且つ少なくとも該第１の把持手段２１を該第２の把持手段２２から該ループパイル糸１１のステッチ方向に沿って離反する方向に移動させる把持手段移動機構５０とを有し、少なくとも該第１の把持手段２１を該第２の把持手段２２から離反する方向に移動させることによって、カーペット層１０を構成する該ループパイル糸１１と基布層１２と裏打ち層１３を個別に分離するように構成されているものであっても良い。
【００９４】
本態様における該第１及び第２の把持手段２１，２２の少なくとも一方は、相互に対向した一対の面のそれぞれに突起部、針状部、突状部、畝状部、溝状部等から選択された少なくとも一つの種類からなる複数個の係止部材が形成されている事が好ましい。
【００９５】
一方、本態様に於ける別の具体例としては、該第１の把持手段２１と該第２の把持手段２２は、少なくとも該カーペット１の１部若しくは該カーペットの端部を機械的に把持する一対の加圧式回転可能ローラからなる構造を有しており、且つ少なくとも該第１の把持手段２１に於ける該一対の加圧式回転可能ローラ２１１の該カーペットを引き伸ばす方向に於ける回転速度を該第２の把持手段２２に於ける該一対の加圧式回転可能ローラ２２１の当該回転速度より大なる速度で回転させる加圧式回転可能ローラー駆動制御手段５０，５１が設けられていることが好ましい。
【００９６】
一方、本発明に於ける本態様に於いては、少なくとも該第２の把持手段２２の近傍から発生する該ループパイル糸１１と基布層１２から分離された裏打ち層１３と該ループパイル糸１１と裏打ち層１３から分離された基布層１２とを個別に引き取り手段３０，３１を介すか介さずに個別の収納手段３２，３３に収納する様に構成しても良く、更には、該カーペット１の該裏打ち層１３と基布層１２とから分離されたループパイル糸１１を該第１の把持手段２１の近傍に設けられた引取り手段３４を介すか介さずにループパイル糸収納手段３５に収納する様に構成する事も可能である。
【００９７】
又、本態様に於ける別の具体例としては、該第１及び第２の把持手段２１、２２の間に、少なくとも該裏打ち層１３を加熱する加熱手段４２が設けられているものであっても良い。
【００９８】
更には、本態様に於ける他の具体例としては、該第１加圧式回転可能ローラ２１１及び該第２加圧式回転可能ローラ２２１の少なくとも一方は、任意の時点で回転停止状態を取りうる様に構成されている事も望ましい。
【００９９】
一方、本態様に於ける更に他の具体例としては、該第１及び第２の把持手段２１，２２の少なくとも一方は、適宜の制御手段６０，６１によって、該カーペットを把持する状態と該カーペットを解放する状態の双方の状態が任意にとれる様に構成されていると共に、カーペット１を該一対のローラー間に把持して該カーペットを加圧する加圧力が適切な値に設定される様に構成されている事も好ましい。
【０１００】
尚、上記した各具体例に於いては、第１及び第２の把持手段２１，２２の一方には、図１或いは図２に示された把持手段が使用され、他方には、図５に示す様な回転ローラー式の把持手段を使用するという組み合わせも可能である。
【０１０１】
本発明に於ける更に別の具体例としては、図４に示す様に、該カーペットのトリミング工程に接続して、該トリミング工程から連続して排出される縦耳バリ１５を切断することなく直接上記した本発明に於分離回収装置に供給する様に構成ループパイル糸を有するタフテッドタイプのカーペットの各構成材料を分離回収装置である。
【０１０２】
次に、本発明に於ける更に別の具体例を図６及び図７を参照しながら説明する。
【０１０３】
即ち、本具体例は、図６及び図７に示す様に、カーペット１の一つの端部２３を機械的に把持する第１の把持手段２１と該カーペット１の一つの端部２３から該ループパイル糸１１のステッチ方向に所定の距離だけ該カーペット本体内部方向に移動した位置２４に配置されて該カーペットの１部を機械的に把持するか若しくは該カーペット１の他方の端部位置２４’に配置され該カーペット１の当該端部２４’を機械的に把持する第２の把持手段２２で把持し、該第１の把持手段２１と第２の把持手段２２の間に延展されているのカーペット１を適宜の駆動手段によって上下動する押圧部材７０で図示の様に当該カーペット１を例えば押圧しながら下方向に押し下げて、折り畳み状に伸長させる事により該カーペット１をステッチ方向に引き伸ばして該裏打ち層１３と基布層１２を破断せしめると同時に該カーペット層１０を構成する該ループパイル糸１１を該ループが解消する様に引き伸ばして該基布層１２から分離させる様にしたてループパイル糸を有するタフテッドタイプのカーペットの各構成材料を分離回収する方法及びその装置である。
【０１０４】
図６（Ａ）は、該第１の把持手段２１と第２の把持手段２２の間に上下動可能な押圧部材７０として先端が鋭利に形成された楔状或いは鉞状の突起部を有する部材が使用されるものであり、当該押圧部材７０の正面図は、例えば図６（Ｄ）に示す様な断面形状を有しており、叉当該押圧部材７０のカーペットの幅方向断面形状つまり側面形状は図６（Ｃ）に示す様な断面形状を有しているものである。
【０１０５】
そして、図６（Ｂ）に示す様に、当該押圧部材７０を適宜の駆動手段を利用して該第１の把持手段２１と第２の把持手段２２の間に延展されているのカーペット１を押圧しながら下方に移動させる事により、当該カーペット１に所定の張力を印加しながらＶ字状或いはＵ字状に折りたたむように伸長させる事により該カーペット１をステッチ方向に引き伸ばして該裏打ち層１３と基布層１２を破断せしめると同時に該カーペット層１０を構成する該ループパイル１１がそのパイル形状を解消されて略直線状の糸として、分離される。
【０１０６】
叉、図７は、当該押圧部材７０としてローラー状部材を使用して例を示すものであって、当該ローラー状部材は回転しながら上下動するものであってもよく、回転しない状態のものであっても良い。
【０１０７】
上記した何れの具体例においても、切断された裏打ち層１３と基布層１２は、図１に示す様な適宜の引き取り手段及び収納手段等を使用して収納処理すると共に、当該ループパイル１１は適宜のカッター手段を使用して適宜の長さに切断して適宜の収納手段に収納する様に構成することが望ましい。
【０１０８】
尚、当該押圧部材７０の押し下げ長さは、該第１の把持手段２１と第２の把持手段２２の間の長さ、パイル糸の単位ループ長さ及びパイル糸密度等によって適宜の長さに調整可能である。
【０１０９】
尚、上記した図６及び図７に示す様な具体例に於いて、特にタイルカーペットを分離回収する場合には、当該第１の把持手段２１と当該第２の把持手段２２は、単に上下動する様に構成された把持手段に替えて、図８に示す様に当該第１の把持手段２１と当該第２の把持手段２２は、複数個の把持ユニットがエンドレスに連結されて所定の回転ローラ等により所定の方向に回転する様に構成されているものを使用することも可能である。
【０１１０】
即ち、より具体的には、図８（Ａ）に示す様に、例えば針状或いは櫛状の突起部７２を多数表面に有する複数個の把持ユニット７１が適宜の手段を介して互いに連結されエンドレス状の無端ベルト体７３を形成し、当該無端ベルト体７３は、少なくとも一対の駆動回転ローラ７５、７６によって所定の張力を付加されて所定の方向に回転出来る様に構成されている。
【０１１１】
そして上記した無端ベルト体７３が２個用意されて当該一対の無端ベルト体７３、７３’で第１の把持手段２１を構成し、その間に所定のタイルカーペット１を狭持して所定の距離だけ当該カーペット１を移動し固定する。
【０１１２】
また同様の構成を有する一対の無端ベルト体７９、７９’で第２の把持手段２２を構成し、その間に所定のタイルカーペット１を狭持して所定の距離だけ当該カーペット１を移動し固定する。
【０１１３】
当該無端ベルト体７３、７３’と当該無端ベルト体７９、７９’とは相互に平行に配置されていて、同時に同一の速度で同一の方向に回転移動する様に設定されている。
【０１１４】
尚、それぞれの当該無端ベルト体７３、７３’と当該無端ベルト体７９、７９’の内部には、当該タイルカーペット１と接触している当該複数個の把持ユニット７１を当該カーペット側に押圧するための適宜の加圧手段８０、８１が配置されている事が望ましい。
【０１１５】
尚、図８（Ｂ）は、図８（Ａ）の側面図である。
【０１１６】
図８（Ａ）に於いて、使用済みのタイルカーペット１を図８（Ａ）の左側から供給し、当該第１と第２の把持装置２１，２２を構成する当該無端ベルト体７３、７３’と当該無端ベルト体７９、７９’のそれぞれの間に挟みこませた後、当該無端ベルト体７３、７３’と当該無端ベルト体７９、７９’を矢印８２及び８３の方向に同速度で移動させ、所定の位置（図８（Ａ）に示す位置）まで当該カーペット１が移動せしめられた時点で、当該第１と第２の把持装置２１，２２の駆動を停止させる。
【０１１７】
この際、当該タイルカーペットの供給に際しては、当該タイルカーペットのパイルイと１１のステッチ方向２５が当該タイルカーペットの進行方向に直角となる様に供給する事が望ましい。
【０１１８】
その後は、図６或いは図７で説明した様に、当該押圧部材７０が当該タイルカーペット１を下方向或いは上方向に移動して当該タイルカーペット１を構成する裏打ち層１３、基布層１２を破断せしめて当該ループパイル糸１１を引き伸ばしながら分離していくものである。
【０１１９】
上記した分離処理が終了すると当該第１と第２の把持装置２１，２２を構成する当該無端ベルト体７３、７３’と当該無端ベルト体７９、７９’は、同一の方向に回転移動して、当該タイルカーペット１から分離された裏打ち層１３、基布層１２及びループパイル糸１１を外部に排出しながら別のタイルカーペットを引き込む作業を実行し、次の分離処理を実行摺る準備を開始する。
【０１２０】
尚、図８（Ｃ）は、図８（Ａ）の斜視図である。
【産業上の利用可能性】
【０１２１】
使用済みのカーペット或いはカーペットの製造過程で発生する縦耳バリから効率的にループパイル糸と基布層と裏打ち層とにカーペットを破砕するに先立ち個別に分離する事が出来るので、それらの再利用を可能とし、産業廃棄物の排出量を大幅に抑制する事が出来る。
【図面の簡単な説明】
【０１２２】
【図１】図１は、本発明のカーペットからループパイル糸、基布層及び裏打ち層を分離回収する工程の一具体例を示す断面図であり、図１（Ａ）は、分離処理操作が実行される直前の状態を示し、図１（Ｂ）は、分離処理操作が実行されている状態を示す図である。
【図２】図２は、本発明に使用される把持手段の一具体例の構成を示す斜視図である。
【図３】図３は、タイルカーペットの製造工程で縦耳バリと横耳バリが副生する様子を表わした平面図である。
【図４】図４は、本発明において、カーペットの製造工程で発生する縦耳バリをカーペットの製造工程に連続した工程でループパイル糸と基布層と裏打ち層の分離処理を行う様にした具体例の構成を示す断面図である。
【図５】図５は、本発明のカーペットからループパイル糸、基布層及び裏打ち層を分離回収する工程の他の具体例の構成を示す断面図であり、図５（Ａ）は、分離処理操作が実行される直前の状態を示し、図５（Ｂ）は、分離処理操作が実行されている状態を示す図である。
【図６】図６は、本発明のカーペットからループパイル糸、基布層及び裏打ち層を分離回収する工程の更に別の具体例を示す断面図であり、図６（Ａ）は、分離処理操作が実行される直前の状態を示し、図６（Ｂ）は、分離処理操作が実行されている状態を示す図である。
【図７】図７は、図６に示される具体例に於ける他の態様を示す断面図であり、図７（Ａ）は、分離処理操作が実行される直前の状態を示し、図７（Ｂ）は、分離処理操作が実行されている状態を示す図である。
【図８】図８は、図６叉は図７に示される把持手段の他の具体例の態様を示す断面図であり、図８（Ａ）は、その正面図であり、図８（Ｂ）は、その側面図であり、叉図８（Ｃ）は、その斜視図である。
【符号の説明】
【０１２３】
１：  カーペット
１（１００）：広幅長尺カーペット
４：パンチ工程
５：係止部材
１０：カーペット層
１１：ループパイル糸
１２：基布層
１３：裏打ち層
１５：縦耳バリ
１６：横耳バリ
２１：第１の把持手段
２２：第２の把持手段
２３：カーペットの一つの端部
２４：カーペット内部の位置
２４’：カーペットの他方の端部
２５：ループパイル糸のステッチ方向
２６：裏打ち層の破断部
２７：基布層の破断部
３０、３１、３４、３６、３８、５４：引き取り手段
３２、３３、３５、３７、３９、５３、５５：収納手段
３９：ループパイル糸収納手段
４０、４１、５２：カッター手段
４２：加熱手段
５０、５１：駆動手段
６０、６１：制御手段
７０：押圧部材
７１：把持ユニット
７２：突起部７２
７３、７３’、７９、７９’：無端ベルト体
７５、７６、７４、７７：駆動回転ローラ
８０、８１：加圧手段
２１１：第１加圧式回転可能ローラ
２２１：第２加圧式回転可能ローラ
【図１】
2005144076.tif 000003
【図２】
2005144076.tif 000004
【図３】
2005144076.tif 000005
【図４】
2005144076.tif 000006
【図５】
2005144076.tif 000007
【図６】
2005144076.tif 000008
【図７】
2005144076.tif 000009
【図８】
2005144076.tif 000010